(57)【要約】  【課題】  バイオアッセイ用基板の基板上を複雑な構造にすることなく、簡易な方法で、基板上の位置情報を識別する方法を提供すること。  【解決手段】  検出用物質Ｎと標的物質Ｎ’との間の相互作用の場を提供する反応領域２が所定数一組で区分けされた反応領域ブロック３を基板１上に配設し、それぞれの反応領域ブロック３において選択された各反応領域２中に存在する検出用物質Ｎの末端部位に識別用マーカーＭを標識しておき、識別用マーカーＭの励起・蛍光波長の読み取り情報を、各ブロック３の識別ＩＤ情報として利用する反応領域ブロック３の識別方法を提供する。  【選択図】  図１
2005127833.tif 000002
【特許請求の範囲】
【請求項１】
検出用物質と標的物質との間の相互作用の場を提供する反応領域が所定数一組で区分けされた反応領域ブロックを基板上に配設し、
それぞれの前記反応領域ブロックにおいて選択された各反応領域中に存在する前記検出用物質の末端部位、又は、選択された前記各反応領域中のいずれかの箇所に対して、識別用マーカーを標識しておき、
前記識別用マーカーの励起・蛍光波長の読み取り情報を、前記各ブロックの識別ＩＤ情報として利用することを特徴とする反応領域ブロックの識別方法。
【請求項２】
前記識別用マーカーの励起波長を、前記標的物質に標識された検出用マーカー又は前記相互作用の生成物質に挿入された検出用マーカーから発せられる励起波長と異なるようにしたことを特徴とする請求項１記載の反応領域ブロックの識別方法。
【請求項３】
前記検出用マーカーに固有の励起波長の光を照射して相互作用の検出を行うと同時に、前記識別用マーカーに固有の励起波長の光を照射して前記反応領域ブロックの識別を行うことを特徴とする請求項２記載の反応領域ブロックの識別方法。
【請求項４】
前記検出用マーカーから発せられる励起波長の光のみを照射して、該光の励起光エネルギーをＦＲＥＴ法原理に基づいて前記識別用マーカーに転移させて、該識別用マーカーから蛍光を発するようにさせたことを特徴とする請求項２記載の反応領域ブロックの識別方法。
【請求項５】
基板上の各反応領域ブロックに属する反応領域の数と配置パターンをすべて統一しておき、
前記識別用マーカーを有する反応領域に１の数字、前記識別用マーカーを有しない反応領域に０の数字を割り当て、
あるいは、前記識別用マーカーを有する反応領域に０の数字、前記識別用マーカーを有しない反応領域に１の数字を割り当てることによって、
各反応領域ブロックに二進法の数字列からなる識別ＩＤ番号を与えることを特徴とする請求項１記載の反応領域ブロックの識別方法。
【請求項６】
前記識別ＩＤ番号を位置検出サーボ情報として利用することを特徴とする請求項５に記載の反応領域ブロックの識別方法。
【請求項７】
請求項５記載の識別ＩＤ番号が与えられた反応領域ブロックを、所定の乱数表に従って基板上に振り分けることを特徴とする基板上への反応領域ブロックの配設方法。
【請求項８】
検出用物質と標的物質との間の相互作用の場を提供する反応領域が所定数一組で区分けされた反応領域ブロックを基板上に配設し、
それぞれの前記反応領域ブロックにおいて選択される各反応領域に存在する前記検出用物質の末端部位、又は、選択された前記各反応領域中のいずれかの箇所に対して、識別用マーカーを標識しておき、
前記識別用マーカーの励起波長の読み取り情報を、前記検出用物質の保持工程又は／及び前記相互作用工程の制御に利用することを特徴とする工程制御方法。
【請求項９】
検出用物質と標的物質との間の相互作用の場を提供する反応領域が所定数一組で区分けされた反応領域ブロックを基板上に配設し、
それぞれの前記反応領域ブロックにおいて選択される各反応領域に存在する前記検出用物質の末端部位に対して、識別用マーカーを標識しておき、
前記識別用マーカーからの検出情報を、該検出用物質の反応領域内における密度に係わる品質管理又は検査に用いることを特徴とするバイオアッセイ用基板の品質管理又は検査方法。
【請求項１０】
検出用物質と標的物質との間の相互作用の場を提供する反応領域が所定数一組で区分けされた反応領域ブロックを基板上に配設し、
それぞれの前記反応領域ブロックにおいて選択された各反応領域中に存在する前記検出用物質の末端部位、又は、選択された前記各反応領域中のいずれかの箇所に対して、識別用マーカーを標識したことを特徴とするバイオアッセイ用基板。
【発明の詳細な説明】
【技術分野】
【０００１】
本発明は、本発明は、ＤＮＡチップ、プロテインチップ等のマイクロアレイ技術に関する技術に関する。より詳細には、ＤＮＡチップ等の基板上の位置情報識別方法に関する。
【背景技術】
【０００２】
本発明の主たる従来技術を以下説明する。現在、マイクロアレイ技術によって所定のＤＮＡが微細配列された、いわゆるＤＮＡチップ又はＤＮＡマイクロアレイ（以下、「ＤＮＡチップ」と総称。）と呼ばれるバイオアッセイ用の集積基板が、遺伝子の変異解析、ＳＮＰｓ（一塩基多型）分析、遺伝子発現頻度解析等に利用されており、創薬、臨床診断、薬理ジェノミクス、法医学その他の分野において広範囲に活用され始めている。
【０００３】
このＤＮＡチップは、ガラス基板やシリコン基板上に多種・多数のＤＮＡオリゴ鎖やｃＤＮＡ（complementary DNA）等が集積されていることから、ハイブリダイゼーション等の分子間相互作用の網羅的解析が可能となる点が特徴とされている。
【０００４】
ＤＮＡチップによる解析手法の一例を簡潔に説明すれば、ガラスやシリコン等の基板上に固相化されたヌクレオチド鎖に対して、細胞、組織等から抽出したｍＲＮＡを逆転写ＰＣＲ反応等によって蛍光プローブｄＮＴＰを組み込みながらＰＣＲ増幅し、基板上においてハイブリダイゼーションを行い、所定の検出器で蛍光測定を行うという手法である。
【０００５】
ここで、ＤＮＡチップは二つのタイプに分類できる。第１のタイプは、半導体露光技術を応用したフォトリソグラフィーの技術を用いて、所定の基板上に直接オリゴヌクレオチドを合成していくものであり、アフィメトリクス社（Ａｆｆｙｍｅｔｒｉｘ社）によるものが代表的である（例えば、特許文献１参照）。この種のチップは、集積度は高いが、基板上でのヌクレオチド鎖合成には限界があって、数十塩基程度の長さである。
【０００６】
第２のタイプは、「スタンフォード方式」とも称されるもので、先割れピンを
用いて、予め用意されたヌクレオチド鎖を基板上に分注・固相化していくことによって作製されるものである（例えば、特許文献２参照）。この種のチップは、集積度は前者に比べて低いが、１ｋｂ程度のヌクレオチド鎖断片を固相化できるという利点がある。
【０００７】
また、現在、プロテインチップを含むバイオセンサーチップと称される、薄い平板状に設けられた微小な検出表面部位(反応領域)に所定の検出用物質を固相化し、この検出用物質に対して、標的物質を含む溶液を、微容量だけ通水し、検出用物質と標的物質との間の相互反応を表面プラズモン共鳴原理や水晶発振子等の原理を用いて観察・分析するバイオセンサー技術が進展しており、抗原抗体反応やホルモン応答反応等の物質間相互反応の分析における有用な技術となっている。
【０００８】
これらＤＮＡチップ、プロテインチップ等のバイオアッセイ用基板は、基板上に、多数の反応領域を集積させているため、どの反応領域に、どの検出用物質が固定化等されているか、または、バイオアッセイ時に、どの位置の反応領域で、検出用物質と標的物質が相互作用したか、等の基板上の位置情報を的確に把握する必要がある。そのため、従来のＤＮＡチップ等は、基板上に何らかの加工をしたり細工を施したりして、基板上の位置情報を把握する手段を用いていた。
【０００９】
例えば、特許文献３では、平板状のマイクロアレイチップにバーコード等を貼付することによって、マイクロアレイチップと解析情報との対応付けを確実化する方法が示されている。
【特許文献１】特表平４−５０５７６３号報
【特許文献２】特表平１０−５０３８４１号公報
【特許文献３】特開２００１−１３３４６４号公報
【発明の開示】
【発明が解決しようとする課題】
【００１０】
しかしながら、従来の技術には、以下のような解決すべき課題があった。
【００１１】
ＤＮＡチップ等のバイオアッセイ用基板は、バイオアッセイ用基板の作製時や使用時に、洗浄工程、滴下工程、励起工程等、様々な手順が必要であるため、基板上や基板上の反応領域周辺は、加工等のされていない簡単な構造であることが望ましい。
【００１２】
また、相互作用等の測定時には、反応領域に励起光を照射して、蛍光物質が発する光を検出・測定する場合も多いため、基板上や反応領域周辺に複雑な加工等を施すと、構造上の理由から、照射された励起光の強度や蛍光物質が発した光を感知する感度に影響を与える恐れがあるため、基板上は、相互作用等に必要な最小限度の加工のみにとどめることが望ましい。
【００１３】
そこで、本発明は、バイオアッセイ用基板の基板上を複雑な構造にすることなく、簡易な方法で、基板上の位置情報を識別する方法を提供することを主な目的とする。
【課題を解決するための手段】
【００１４】
上記の技術的課題を解決するために、本発明では、以下の手段を提供する。
【００１５】
本発明者は、まず、検出用物質と標的物質との間の相互作用の場を提供する反応領域が所定数一組で区分けされた反応領域ブロックを基板上に配設し、それぞれの反応領域ブロックにおいて選択された各反応領域中に存在する検出用物質の末端部位、又は、選択された各反応領域中のいずれかの箇所に対して、識別用マーカーを標識しておき、識別用マーカーの励起波長の読み取り情報を、各ブロックの識別ＩＤ情報として利用する反応領域ブロックの識別方法を提供する。
【００１６】
バイオアッセイ用基板の基板上に集積する反応領域を、所定数を一組として区分けし、基板上を複数の反応領域ブロックに分ける。それぞれの反応領域ブロックにある反応領域のうち、選択されたいくつかの反応領域を識別用マーカーで標識する。そして、各反応領域ブロックを、標識された反応領域の組み合わせにより、識別する。
【００１７】
具体的には、基板上の各反応領域ブロックに属する反応領域の数と配置パターンをすべて統一しておき、識別用マーカーを有する反応領域に１の数字、識別用マーカーを有しない反応領域に０の数字を割り当て、あるいは、識別用マーカーを有する反応領域に０の数字、前記識別用マーカーを有しない反応領域に１の数字を割り当てることにより、各反応領域ブロックに、二進法の数字列からなる識別ＩＤ番号を付与することができる。
【００１８】
例えば、８つの反応領域で、一つの反応領域ブロックを形成するように区分けした場合、識別用マーカーで標識された反応領域を１、標識されていない反応領域を０とすると、励起光を照射した際の蛍光の有無によって、一つ目の反応領域ブロックは、００００００００と識別され、二つ目は、０００００００１、三つ目は、００００００１０、というように、二進法に基づいて、２５６個の反応領域ブロックを識別することができる。
【００１９】
また、予め、基板上の各反応領域ブロックに属する反応領域の数と配置パターンをすべて統一しておくことにより、反応領域ブロックの位置を特定できるだけでなく、その反応領域ブロックの中にあるすべての反応領域の位置情報についても識別・特定することができる。
【００２０】
従って、バイオアッセイ用基板作製時に、選択された反応領域を識別用マーカーで標識しておくことにより、基板上のすべての反応領域の位置を、識別することが可能となるため、前記の識別ＩＤ番号を位置検出サーボ情報として利用することもできる。
【００２１】
識別用マーカーとしては、検出・測定可能なマーカーとして標識できるものであれば、どのようなものを用いてもよいが、長寿命のマーカーを用いると、より利用性が高まる。例えば、蛍光物質、放射性物質、ナノ微粒子、量子ドット、インターカレーター等を用いることができる。また、バイオアッセイ用基板は、その作製時や使用時等に洗浄工程等の様々な工程を必要とするため劣化しやすいが、バイオアッセイ用基板の作製時において、気密性を保てる包装を施したり、カートリッジに入れて不活性ガスで封入したりすることにより、識別用マーカーの劣化を防ぐことができる。その他、識別用マーカーを含むバイオアッセイ用基板の劣化を防止する方法として、光を遮蔽する包装を施したり、光不透化のカートリッジに封入したりしたりする方法を用いてもよい。
【００２２】
なお、選択された反応領域の識別に用いる識別用標識物質は、各反応領域中に存在する検出用物質の末端部位に結合させて標識してもよいし、選択された各反応領域中のいずれかの箇所に付加して標識してもよい。
【００２３】
但し、バイオアッセイ用基板を用いて、検出用物質と標的物質との間の相互作用を検出・測定する際には、相互作用の有無や結合量を、励起光照射による蛍光によって、検出・測定する場合が多いため、相互作用を検出する検出用マーカーと、位置情報を識別する識別用マーカーの波長が同じであると、検出用と識別用のどちらの蛍光かを判断しにくくなるという問題が起きる場合もある。
【００２４】
そこで、識別用マーカーの励起波長を、標的物質に標識された検出用マーカー又は相互作用の生成物質に挿入された検出用マーカーに照射する励起波長と異なるようにするとよい。
【００２５】
また、識別用マーカーと検出用マーカーの励起・蛍光波長が異なるようにすることにより、検出用マーカーに固有の励起波長を照射して相互作用の検出を行うと同時に、識別用マーカーに固有の励起波長の光を照射して反応領域ブロックの識別を行うことができるようになる。従って、相互作用が検出された反応領域の場所を、相互作用の検出・測定と同時に特定することができる。
【００２６】
さらに、検出用マーカーから発せられる励起波長の光のみを照射して、励起光エネルギーをＦＲＥＴ法原理に基づいて識別用マーカーに転移させることにより、識別用マーカーから蛍光を発するようにさせることができる。ＦＲＥＴ法原理を応用することにより、検出用マーカーの励起光のみを照射することにより、検出用マーカーを蛍光させるだけでなく、識別用マーカーも、転移した励起光エネルギーによって、蛍光させることができる。
【００２７】
次に、本発明者は、識別ＩＤ番号が与えられた反応領域ブロックを、所定の乱数表に従って基板上に振り分ける基板上への反応領域ブロックの配設方法を提供する。
【００２８】
バイオアッセイ用基板作製時等に、所定の乱数表に従って、基板上の各反応領域ブロックの識別ＩＤ番号を定め、そのＩＤ番号に基づいて、各反応領域ブロック内の、識別用マーカーで標識する反応領域を選択する。この反応領域ブロックの配設方法を用いることにより、予め、すべての反応領域の位置を識別できるように設計されたバイオアッセイ用基板を作製することができる。
【００２９】
続いて、本発明者は、検出用物質と標的物質との間の相互作用の場を提供する反応領域が所定数一組で区分けされた反応領域ブロックを基板上に配設し、それぞれの反応領域ブロックにおいて選択される各反応領域に存在する検出用物質の末端部位、又は、選択された前記各反応領域中のいずれかの箇所に対して、識別用マーカーを標識しておき、識別用マーカーの励起波長の読み取り情報を、検出用物質の保持工程又は／及び相互作用工程の制御に利用する工程制御方法を提供する。
【００３０】
上記した方法により、検出用物質と標的物質との間の相互作用が起こった反応領域の位置を特定することができるので、この方法を、検出用物質の保持工程又は／及び相互作用工程の制御に利用する工程に利用することができる。
【００３１】
例えば、検出用物質の保持工程では、検出用物質を保持させる反応領域の位置を、識別用マーカーの励起光をパルスレーザー等で間歇的に照射することにより、識別・特定することができるので、目的の反応領域に、正確に、検出用物質を供給し、保持させることができる。
【００３２】
また、検出用物質の相互作用工程では、検出用物質と標的物質の相互作用時に、パルスレーザー等で識別用マーカーの励起光を間歇的に照射して蛍光データ（位置情報）を測定し、一方で、検出用マーカーの励起光を間歇的に照射して蛍光データ（相互作用）を測定することにより、両者の蛍光データを比較、フィードバックして、相互作用が起こった反応領域を特定することができる。また、この方法により、相互作用の反応効率を把握したり、相互作用を経時間的に検出してプロセス管理に用いたり等することもできる。
【００３３】
なお、識別用マーカーの蛍光データは、バイオアッセイ用基板作製時のものを用いてもよいが、相互作用時又は相互作用検出・測定時のレーザー・光学系の定数が異なる場合があるので、相互作用直前に再測定した蛍光データを用いるほうが、反応効率やプロセス管理を行う上でより好ましい。また、相互作用検出・測定以降の識別用光量の劣化は、実質的なバックグラウンドの増加として補正するとよい。
【００３４】
次に、本発明者は、検出用物質と標的物質との間の相互作用の場を提供する反応領域が所定数一組で区分けされた反応領域ブロックを基板上に配設し、それぞれの反応領域ブロックにおいて選択される各反応領域に存在する検出用物質の末端部位に対して、識別用マーカーを標識しておき、識別用マーカーの励起・蛍光波長の検出情報を、検出用物質の反応領域内における密度に係わる品質管理又は検査に用いるバイオアッセイ用基板の品質管理又は検査方法を提供する。
【００３５】
検出用物質の末端に識別用マーカーを標識しているため、選択された反応領域において、実際に、検出用物質が保持されているかどうかを、識別用マーカーの励起・蛍光波長の読み取りにより、容易に判定することができる。また、蛍光強度により、反応領域に保持されている検出用物質の量を推定することができる。従って、この方法は、バイオアッセイ用基板の品質管理又は検査に応用することができる。
【００３６】
さらに、例えば、ＤＮＡチップ等の場合、予め、２６０ｎｍの吸光度を測定する等によって、反応領域中のＤＮＡプローブの密度と量を測定し、検量線を作成しておくことにより、反応領域の面積を一定にした場合の、検出用物質の総固定量と密度を、数値で具体的に、測定・評価することができる。
【発明の効果】
【００３７】
本発明によって奏される効果は、以下の通りである。
【００３８】
本発明により、バイオアッセイ用基板上の各反応領域ブロックを、識別ＩＤ情報を用いて識別・特定することができる。
【００３９】
反応領域ブロックに属する反応領域の数と配置パターンを任意に設定することにより、基板上の全ての反応領域を識別・特定することができる。
【００４０】
バイオアッセイ用基板を用いた相互作用の検出・測定時に、検出用マーカーの蛍光と、識別用マーカーの蛍光を同時に検出することにより、相互作用がおきている反応領域の位置を簡単に識別することができるので、相互作用をする物質の特定が容易になる。
【００４１】
本発明は、検出用物質保持工程、相互作用工程の制御に利用することができる。また、バイオアッセイ用基板の品質管理、品質検査に応用することもできる。
【発明を実施するための最良の形態】
【００４２】
以下、本発明を実施するための好適な形態について、添付図面を参照にしながら説明する。
【００４３】
図１は、円板状のバイオアッセイ用基板１の上面模式図である。なお、本発明は、円板状のバイオアッセイ用基板に限定されるわけではなく、平板状その他全ての、反応領域が集積したバイオアッセイ用基板に利用することが可能である。
【００４４】
円板状の基板１は、ＣＤ（Compact  Ｄｉｓｃ）、ＤＶＤ（Digital  Versatile  Disc）等の光ディスクと同様に、主面が円形の平板状の形状をしている。そして、基板１の主面には、バイオアッセイ装置（図示せず）に装着する際に用いる中心孔１１、レーザー光を照射して光学的に情報の記録再生がされる部位である記録部位１２、及び、バイオアッセイに用いる部位である反応部位１３がある。そして、基板１の主面にある反応部位１３には、基板１の裏面方向に窪んだ反応領域２と、その反応領域２が所定数一組で区分けされた反応領域ブロック３が配設されている。
【００４５】
反応領域２は、検出用物質Ｎと標的物質Ｎ’との間の相互作用の場となる領域で、標的物質Ｎ’を滴下して相互作用を起こさせる前は、検出用物質Ｎが、反応領域２内に保持されている。
【００４６】
反応領域ブロック３は、基板１上に、所定数の反応領域２が配置された構成をしている。反応領域ブロック３内の、反応領域２の数や配置は、任意に設定することができるが、後述するように、全ての反応領域ブロック３において、反応領域２の数と配置パターンは、統一しておくことが望ましい。
【００４７】
図１に示すように、反応領域ブロック３内に、識別用マーカーＭにより標識された反応領域１２と、標識されていない反応領域１２と、を設け、識別用マーカーＭを有する反応領域１２に「１」の数字、識別用マーカーを有しない反応領域１２に「０」の数字を付与することにより、その数字に組みあわせで、その反応領域ブロック３に、固有の識別ＩＤ番号を付与することができる。
【００４８】
例えば、反応領域ブロック３１の識別ＩＤ番号は、０１０１０１であり、反応領域ブロック３２の識別ＩＤ番号は、００１００１である。それぞれ、「１」の数字が付された反応領域２が、識別用マーカーＭで標識されている。
【００４９】
上記のように標識することにより、標的用マーカーＭに励起光を照射すると、まず、識別ＩＤ番号により、基板１上の反応領域ブロック３を識別特定することができる。そして、反応領域ブロック３内の、反応領域２の数や配置パターンを統一しておくことにより、反応領域ブロック３内の反応領域２の位置も、特定、識別することができる。
【００５０】
例えば、検出用マーカーＦの励起光と、識別用マーカーＭの励起光を同時に照射することにより、相互作用が起こっている反応領域２と、識別用マーカーＭによって標識された反応領域２が同時に蛍光する。従って、まず、識別用マーカーＭの励起光により、相互作用が起こっている反応領域ブロック３が特定・識別される。そして、その反応領域ブロック３内のどの反応領域２が、検出用マーカーＦによって蛍光したかを同定することにより、どの位置（反応領域）で、相互作用が起こったかを特定することができる。
【００５１】
図２は、検出用物質Ｎの末端部位に識別用マーカーＭを付した場合における反応領域２内の断面模式図である。反応領域２に固定化された検出用物質Ｎの末端部位には、識別用マーカーＭが付されている。一方、反応領域２に滴下・供給される標的物質Ｎ’には、検出用マーカーＦが付されている。
【００５２】
標的物質Ｎ’が、滴下・供給されていない段階では、検出用物質Ｎのみが反応領域２内に存在するため、識別用マーカーＭの励起光を照射することにより、識別用マーカーＭが蛍光する。従って、標的物質Ｎ’を滴下していない段階の場合、位置情報を識別するだけでなく、検出用物質Ｎが反応領域２内に保持されているか、又は、検出用物質Ｎが反応領域２内に保持されている量を、検査、推定することもできる。
【００５３】
標的物質Ｎ’を、反応領域２内に滴下・供給して、検出用物質Ｎと標的物質Ｎ’との間で相互作用が起こっている場合、検出用マーカーＦの励起光と識別用マーカーＭの励起光を同時に照射することにより、検出用マーカーＦと識別用マーカーＭは、両方とも蛍光する。従って、識別用マーカーＭの蛍光により、反応領域ブロック３の位置を特定・識別することができるため、同時に、検出用マーカーＦの蛍光により、相互作用が起こった反応領域も特定することができる。従って、確実に、相互作用を引き起こす物質（検出用物質と標的物質）を特定することができる。
【００５４】
図３は、反応領域２中のいずれかの箇所に識別用マーカーＭを付した場合における反応領域２内の断面模式図である。
【００５５】
検出用マーカーＦとして、例えば、インターカレーターを用いた場合、検出用物質Ｎと標的物質Ｎ’との間の相互作用を検出する際に、インターカレーターが相互作用（ハイブリダイゼーション）を起こして二本鎖となっている検出用物質Ｎと標的物質Ｎ’を途中で切断してしまうため、検出用物質Ｎの末端部位に識別用マーカーを付するのは好ましくない。
【００５６】
そこで、反応領域２内のいずれかの部位に、識別用マーカーＭを付しておくことにより、インターカレーター等を用いる場合でも、反応領域ブロックの位置情報を識別する機能を持たせることができる。
【産業上の利用可能性】
【００５７】
バイオアッセイ用基板は、多数の反応領域が集積しているため、各反応領域の位置を把握し、識別・特定することができる方法が必要である。本発明は、バイオアッセイ用基板の各反応領域を、基板を加工することなく、簡易な方法で、識別することができる点で、産業上有用である。
【００５８】
バイオアッセイ用基板は、平板状のものだけでなく、円板状のものもある。円板状のバイオアッセイ用基板の場合、各操作・工程を、回転運動を用いて連続的に行うことができるため、多くの処理・工程を短時間でできる反面、反応領域の位置を特定しにくい場合があった。本発明は、円板状のバイオアッセイ用基板にも応用することが可能であるので、産業上有用である。
【００５９】
本発明は、各反応領域の位置情報だけでなく、バイオアッセイ用基板の、検出用物質保持工程、相互作用工程を制御したり、品質管理、品質検査等に応用したりすることができる点で、産業上利用価値が高い。
【図面の簡単な説明】
【００６０】
【図１】円板状のバイオアッセイ用基板１の主面の模式図。
【図２】検出用物質Ｎの末端部位に識別用マーカーＭを付した場合における反応領域２内の断面模式図。
【図３】反応領域２中のいずれかの箇所に識別用マーカーＭを付した場合における反応領域２内の断面模式図。
【符号の説明】
【００６１】
１    バイオアッセイ用基板
２    反応領域
３    反応領域ブロック
Ｆ    検出用マーカー
Ｍ    識別用マーカー
Ｎ    検出用物質
Ｎ’  標的物質
【図１】
2005127833.tif 000003
【図２】
2005127833.tif 000004
【図３】
2005127833.tif 000005